(57)【特許請求の範囲】
【請求項１】
トラクタの機体後部にロータリ作業機を連結し、該ロータリ作業機の耕耘爪とリヤカバーとの間に薬剤注入機を設け、更に、その後方にマルチフィルムの繰出部を配設したマルチフィルム敷設機であって、前記耕耘爪とマルチフィルムの繰出部との間に、前記耕耘爪の全幅に亘って鎮圧ローラを設けたマルチフィルム敷設機に於いて、
上記薬剤注入機は上記リヤカバーの前後方向に開穿されたスリットに挿通して設けられ、且つ、上記薬剤注入機へ薬剤を圧送するタンクを搭載したツールバーの左右前方位置にマルチフィルム両端部相当位置に連続的に作溝する排土ディスクを設け、更に、前記ツールバー後部の左右方向にサイドビームが設けられ、該サイドビームの左右両端に接着テープを巻いたロールが設けられるとともに、該サイドビームの左右両側後方へアームを突設し、これ等アーム後端に前記繰り出されたマルチフィルムの両端を押さえる案内輪と鎮圧輪が設けられ、且つ、該アームには繰り出されたマルチフィルム端部へ覆土する覆土ディスクとマルチフィルムを接着テープにて接着後押圧するスポンジ輪が設けられて成ることを特徴とするマルチフィルム敷設機。
【発明の詳細な説明】
【０００１】
【発明の属する技術分野】
本発明は、トラクタの機体後部に連結されるマルチフィルム敷設機に関するものであり、特に、土壌を消毒する薬剤注入機を備えたマルチフィルム敷設機に関するものである。
【０００２】
【従来の技術】
従来、土壌を消毒しながら圃場面へマルチフィルムを敷設する機械としては、例えば実開平７−３００３１号公報記載の装置が知られている。これは、ロータリの耕耘爪の後部に薬剤注入機を配置し、その後方にマルチフィルムの繰出部を設けてある。
【０００３】
そして、ロータリにて耕耘された土壌へ薬剤を注入し、消毒された土壌の表面へマルチフィルムを順次敷設していくものである。
【０００４】
【発明が解決しようとする課題】
前記公報記載の装置は、圃場を耕耘しながら薬剤を注入していくが、耕耘された畝床には凹凸があり、マルチフィルムをきれいに敷設しにくい。特に、風がある場合にはマルチフィルムが畝床に密着せず、バタつきが生じて剥離し易くなる。
【０００５】
また、病虫害防止の薬剤は地表面から約１５０mm程度の浅い位置へ注入するのが効果的であるが、耕耘された畝床に凹凸があると薬剤が飛散して人体に悪影響を与えることがある。
【０００６】
そこで、圃場へ薬剤を注入してマルチフィルムを敷設するに際して、薬剤の飛散を防止するとともに、マルチフィルムの敷設作業性を向上させるために解決すべき技術的課題が生じてくるのであり、本発明はこの課題を解決することを目的とする。
【０００７】
【課題を解決するための手段】
本発明は上記目的を達成するために提案されたものであり、トラクタの機体後部にロータリ作業機を連結し、該ロータリ作業機の耕耘爪とリヤカバーとの間に薬剤注入機を設け、更に、その後方にマルチフィルムの繰出部を配設したマルチフィルム敷設機であって、前記耕耘爪とマルチフィルムの繰出部との間に、前記耕耘爪の全幅に亘って鎮圧ローラを設けたマルチフィルム敷設機に於いて、
上記薬剤注入機は上記リヤカバーの前後方向に開穿されたスリットに挿通して設けられ、且つ、上記薬剤注入機へ薬剤を圧送するタンクを搭載したツールバーの左右前方位置にマルチフィルム両端部相当位置に連続的に作溝する排土ディスクを設け、更に、前記ツールバー後部の左右方向にサイドビームが設けられ、該サイドビームの左右両端に接着テープを巻いたロールが設けられるとともに、該サイドビームの左右両側後方へアームを突設し、これ等アーム後端に前記繰り出されたマルチフィルムの両端を押さえる案内輪と鎮圧輪が設けられ、且つ、該アームには繰り出されたマルチフィルム端部へ覆土する覆土ディスクとマルチフィルムを接着テープにて接着後押圧するスポンジ輪が設けられて成るマルチフィルム敷設機を提供するものである。
【０００８】
【発明の実施の形態】
以下、本発明の実施の形態を図面に従って詳述する。図１及び図２はマルチフィルム敷設機１０を示し、トラクタの機体後部にロータリ作業機１１を連結し、該ロータリ作業機１１の耕耘爪１２とリヤカバー１３との間に薬剤注入機１４を設ける。
【０００９】
この薬剤注入機１４は、リヤカバー１３の前後方向へ開穿されたスリット１５へ挿通されており、左右方向へ並設されている耕耘爪１２，１２間に略等間隔で一列に配設されている。即ち、耕耘爪１２の回転軌跡内に薬剤注入機１４を配置したことにより、装置の全長を短縮することができる。尚、リヤカバー１３にはスリット１５を開穿してあるので、薬剤注入機１４に干渉することなくリヤカバー１３が回動できる。
【００１０】
また、ツールバー１６の上部に電動ポンプ１７を搭載し、タンク（図示せず）に充填された薬剤を汲み上げて前記薬剤注入機１４へ圧送する。ツールバー１６の後部には左右方向にサイドビーム１８を設けてあり、その後方下部位置にマルチフィルムの繰出部１９が設置されている。
【００１１】
該繰出部１９にはマルチフィルム２０のロールが装着され、トラクタに牽引されたマルチフィルム敷設機１０の前進に伴って、該繰出部１９からマルチフィルム２０が繰り出されるように形成されている。このとき、マルチフィルム２０のロールの後方に押さえローラ２１を設け、この押さえローラ２１をマルチフィルム２０のロールへ軽く圧接させることにより、マルチフィルム２０が安定的に繰り出されるようにしてある。
【００１２】
一方、前記耕耘爪１２とマルチフィルムの繰出部１９との間には、耕耘爪１２の全幅に亘って鎮圧ローラ２２が設けられている。該鎮圧ローラ２２は、前記耕耘爪１２で耕耘されながら薬剤を注入された土壌の表面を鎮圧し、畝床の凹凸をなくしてマルチフィルム２０の敷設作業を容易且つ確実に行えるようにしている。
【００１３】
また、消毒された直後の土壌を鎮圧ローラ２２で鎮圧することにより、注入された薬剤が地表面から浅い位置に均一に配分されるとともに、マルチフィルム２０を敷設するまでの間に薬剤が飛散するのを防止することができる。尚、該鎮圧ローラ２２はマルチフィルム敷設機１０の自重を支えるとともにロータリ作業機１１のゲージ輪としても作用し、別途ゲージ輪を備える必要がなくなるので装置の全長を短くすることができる。
【００１４】
更に、前記サイドビーム１８の左右後方へアーム２３，２３を突設し、夫々のアーム２３へ案内輪２４と鎮圧輪２５を設け、前記繰出部１９から繰り出されたマルチフィルム２０の左右両端をこの案内輪２４と鎮圧輪２５とで押さえる。該アーム２３には覆土ディスク２６とスポンジ輪２７とが設けられており、マルチフィルム２０の端部の処理方法によって覆土ディスク２６とスポンジ輪２７とを選択してセットする。
【００１５】
また、ツールバー１６の左右前方位置に夫々排土ディスク２８，２８を設け、必要に応じてこの排土ディスク２８を下方へ倒回して接地することにより、マルチフィルム２０の端部に相当する位置へ連続的に作溝できるように形成してある。
【００１６】
ここで、当該マルチフィルム敷設機１０により、圃場を消毒しながらマルチフィルム２０を敷設していく場合は、圃場の一端部から他端部までを複数回往復して敷設作業を行う。１列目の敷設作業時は、前記左右のアーム２３，２３の双方に覆土ディスク２６，２６をセットし、スポンジ輪２７，２７は上方へ跳ね上げておく。また、左右の排土ディスク２８，２８も下方へ倒回してセットする。
【００１７】
この状態で、ロータリ作業機１１の耕耘爪１２により圃場を耕耘しながら、左右の排土ディスク２８，２８にてマルチフィルム２０の両端部に相当する位置を連続的に作溝し、耕耘爪１２によって耕耘された土壌へ薬剤注入機１４にて薬剤を注入する。続いて、前記鎮圧ローラ２２により土壌を鎮圧して凹凸をなくし、マルチフィルム２０の敷設を容易に行えるようにする。
【００１８】
そして、繰出部１９から繰り出されたマルチフィルム２０は左右の案内輪２４，２４にて押圧され、前記排土ディスク２８，２８による作溝部位にマルチフィルム２０の両端部が凹状に敷設され、この凹状部分へ覆土ディスク２６，２６にて土をかけた後に鎮圧輪２５，２５で鎮圧すれば、マルチフィルム２０の左右両端は覆土された土によって固定される。
【００１９】
このようにして、１列目のマルチフィルム２０が敷設された後に、当該マルチフィルム敷設機１０を反転して２列目の敷設作業を行う。このときは、既に敷設されている１列目のマルチフィルム２０の他端へ、新たに敷設するマルチフィルム２０を重ね合せるので、１列目側のアーム２３の覆土ディスク２６を上方へ跳ね上げてスポンジ輪２７をセットする。また、１列目側の排土ディスク２８も上方へ跳ね上げておく。
【００２０】
そして、１列目のマルチフィルム２０の覆土された部分を、２列目のマルチフィルム２０の端部にて被蔽できるように敷設位置をセットし、１列目のときと同様にして、土壌を消毒しながらマルチフィルム２０を敷設する。このとき、前記サイドビーム１８の端部に装着されているロール２９から接着テープ３０を引き出し、１列目のマルチフィルム２０と２列目のマルチフィルム２０とをこの接着テープ３０にて接着した後に、前記スポンジ輪２７で押圧する。
【００２１】
一方、１列目のマルチフィルム２０とは反対側の未敷設側の端部は、前記排土ディスク２８によって作溝し、繰り出された２列目のマルチフィルム２０の端部へ１列目と同様にして覆土ディスク２６にて覆土する。
【００２２】
このようにして、複数列のマルチフィルム２０を順次敷設していき、隣接するマルチフィルムを接着テープ３０で接着していくことにより、圃場全面に亘って土壌の消毒とマルチフィルムの敷設とを連続的に行うことができる。
【００２３】
ここで、前記ロータリ作業機１１のリヤカバー１３は、耕耘された土壌の量によって上下へ回動するが、図３に示すように、リヤカバー１３の下端部が上方へ跳ね上がったときに鎮圧ローラ２２の前面へ当接し、該リヤカバー１３の下端部の高さが鎮圧ローラ２２の軸心より低くなるように設定してある。これは、耕耘された土壌の高さが鎮圧ローラ２２の軸心より高くなった場合には、鎮圧ローラ２２が回転しなくなって土押しするため、土壌の量が多くなったときにはリヤカバー１３の回動を鎮圧ローラ２２の軸心以下に規制し、該リヤカバー１３によって土を押し付けることにより、耕耘された土壌の高さを鎮圧ローラ２２の高さより低く抑えて、鎮圧可能な状態にするためである。
【００２４】
図４，５に示すマルチフィルム敷設機は、本発明の要旨ではないが関連を有するので記述する。図４及び図５に示すように、前記鎮圧ローラ２２の両端部２２ａ，２２ａを大径に形成すれば、夫々の両端部２２ａ，２２ａによって地表面を押圧し、マルチフィルム２０の両端部に相当する位置を連続的に作溝できる。また、接着テープ３０にて接着する側は、覆土部分をマルチフィルム２０の上面から押圧することにより締め固められ、接着テープ３０の接着作業が容易になるとともに、排土ディスク２８が不要となる。
【００２５】
尚、本発明は、本発明の精神を逸脱しない限り種々の改変を為すことができ、そして、本発明が該改変されたものに及ぶことは当然である。
【００２６】
【発明の効果】
以上説明したように、本発明はロータリ作業機の耕耘爪とリヤカバーとの間に薬剤注入機を設けるに当たり、薬剤注入機は上記リヤカバーの前後方向に開穿されたスリットに挿通されて設けられているので、装置全長を短縮できる外、該薬剤注入機に干渉することなくリヤカバーを回動することができ、更に、その後方に配設されたマルチフィルムの繰出部と前記耕耘爪との間に鎮圧ローラを設けてあるので、耕耘されながら薬剤を注入された土壌の表面を鎮圧することにより、畝床の凹凸をなくしてマルチフィルムの敷設作業が容易且つ確実に行われる。
加えて、左右の排土ディスクによってマルチフィルムの両端部に相当する位置を連続的に作溝し耕耘された土壌へ薬剤注入機にて薬剤を注入後上記鎮圧ローラにより土壌の凹凸をなくすからマルチフィルムの敷設を容易に行うことができる。
【００２７】
また、消毒された直後の土壌を鎮圧ローラで鎮圧することにより、注入された薬剤が地表面から浅い位置に均一に配分されるとともに、マルチフィルムを敷設するまでの間に薬剤が飛散するのを防止することができ、且つ、繰出部から繰り出されたマルチフィルムは左右の案内輪にて押圧され、排土ディスクにより作溝された作溝部位にマルチフィルムの両端が凹状に敷設され、該凹状部分へ覆土ディスクにて土をかけた後に上記鎮圧輪で鎮圧すればマルチフィルムの左右両端は覆土された土によって固定される。
【００２８】
更に、本発明は１列目のマルチフィルムの覆土部分を２列目のマルチフィルムの端部で被蔽できるように敷設位置をセットし、１列目のときと同様土壌を消毒しながらマルチフィルムを敷設するとき、上記サイドビーム端部に設けられたロールから接着テープを引き出し１列目のマルチフィルムと２列目のマルチフィルムを該接着テープにて接着した後上記スポンジ輪で押圧し、他方、１列目のマルチフィルムと反対側未敷設側端部は、上記排土ディスクにて作溝し、繰り出された２列目のマルチフィルムの端部へ１列目と同様にして覆土ディスクにて覆土するから、圃場全体に亘って土壌の消毒とマルチフィルムの敷設を連続的に遂行することができる。
斯くして、圃場へ薬剤を注入してマルチフィルムを敷設する際の作業性が著しく向上する。
【図面の簡単な説明】
【図１】本発明の一実施の形態を示し、マルチフィルム敷設機の側面図。
【図２】マルチフィルム敷設機の平面図。
【図３】リヤカバーの回動限界を示すマルチフィルム敷設機の側面図。
【図４】本発明の他の実施の形態を示す側面図。
【図５】本発明の他の実施の形態を示す平面図。
【符号の説明】
１０        マルチフィルム敷設機
１１        ロータリ作業機
１２        耕耘爪
１３        リヤカバー
１４        薬剤注入機
１９        繰出部
２０        マルチフィルム
２２        鎮圧ローラ
【図１】
0003704753.tif 000002
【図２】
0003704753.tif 000003
【図３】
0003704753.tif 000004
【図４】
0003704753.tif 000005
【図５】
0003704753.tif 000006